(57)【要約】【課題】かごドアと敷居部材との間において十分な気密性を確保できるエレベータのドア装置を提供することを課題とする。【解決手段】本発明は、かごドアと、出入口の下端においてかごドアを開閉方向に案内する敷居部材と、かごドアと敷居部材との間を塞ぐ閉塞位置と敷居部材の上端以下の退避位置との間で上下動可能な閉塞部材と、を備え、かごドアは、閉塞部材と接触した状態でかごドアが戸閉方向に移動することで該閉塞部材を閉塞位置に向けて引き上げる引き上げ部を有し、引き上げ部は、かごドアが戸閉方向に向けて移動することで退避位置にある閉塞部材と接触し、全閉位置まで移動することで閉塞部材を閉塞位置まで引き上げ、閉塞部材は、かごドアと敷居部材との間を塞ぐことができる寸法を有し、引き上げ部によって全閉位置に引き上げられることでその上端をかごドアの下端部に密接させることを特徴とする。【選択図】図３
2019018998.tif 000002
【特許請求の範囲】
【請求項１】
かごの出入口を開閉するかごドアと、
前記出入口の下端において水平方向に延び、且つ前記かごドアを開閉方向に案内する敷居部材と、
前記かごドアの下方において、前記かごドアと前記敷居部材との間を塞ぐ閉塞位置と前記敷居部材の上端位置以下の位置である退避位置との間で上下動可能な閉塞部材と、を備え、
前記かごドアは、前記閉塞部材と接触した状態で該かごドアが戸閉方向に移動することで該閉塞部材を前記閉塞位置に向けて引き上げる引き上げ部を下端部に有し、
前記引き上げ部は、前記かごドアが全開位置から戸閉方向に向けて移動することで前記退避位置にある前記閉塞部材と接触し、且つ、前記かごドアが全閉位置まで移動することで前記閉塞部材を前記閉塞位置まで引き上げる位置に配置され、
前記閉塞部材は、前記かごドアと前記敷居部材との間を塞ぐことができる上下方向の寸法を有し、前記引き上げ部によって前記全閉位置に引き上げられることでその上端を前記かごドアの下端部に密接させる、エレベータのドア装置。
【請求項２】
前記かごドアは、一対配置され、これら一対のかごドアは、水平方向に互いに離間及び接近することで前記出入口を開閉し、
前記一対のかごドアのそれぞれに設けられた前記引き上げ部同士の前記開閉方向の間隔は、下方に向かうにつれて狭くなっている、請求項１に記載のエレベータのドア装置。
【請求項３】
前記閉塞部材が前記退避位置から前記閉塞位置に引き上げられるのに伴う弾性変形によって付勢力が生じ又は付勢力が増大し、該閉塞部材が前記閉塞位置のときに該閉塞部材を退避位置に向けて付勢する付勢部材を備える、請求項１又は２に記載のエレベータのドア装置。
【請求項４】
前記かごドアは、前記引き上げ部より戸開方向側の位置において下方に延び、且つ前記閉塞部材と接触した状態で該かごドアが戸開方向に移動することで該閉塞部材を前記退避位置に向けて押し下げる押し下げ部を前記下端部に有し、
前記閉塞部材は、
前記開閉方向に延びる本体と、
前記本体の上端部から前記かごドア側に延び、且つ前記開閉方向において前記引き上げ部と対向する端部が該引き上げ部と接触した状態で前記かごドアが戸閉方向に移動することで引き上げられる被引き上げ部と、
前記本体の上端部において前記被引き上げ部に対して戸開方向側に間隔をあけた位置から前記かごドア側に延び、且つ前記被引き上げ部より低い被押し下げ部と、を有し、
前記被押し下げ部の戸閉側の端部は、戸開方向に向かうにつれて上方に位置する形状を有する、請求項１〜３のいずれか１項に記載のエレベータのドア装置。
【請求項５】
前記被引き上げ部の前記端部は、前記閉塞部材が前記閉塞位置のときに前記引き上げ部と密接する形状を有する、請求項４に記載のエレベータのドア装置。
【発明の詳細な説明】
【技術分野】
【０００１】
本発明は、エレベータの出入口を開閉するドア装置に関する。
【背景技術】
【０００２】
従来から、ドアと該ドアを開閉方向に案内する敷居部材との間の気密性を高めたエレベータのドア装置が知られている（特許文献１参照）。このドア装置は、図２２に示す通り、出入口を開閉する矩形板状のドア１０１と、出入口の下端で水平方向に延び且つドア１０１を開閉方向に案内する敷居部１０２と、ドア１０１と敷居部１０２との隙間を遮蔽する遮蔽部材１０３と、を備える。遮蔽部材１０３は、ドア１０１の下部から下方に延びると共に水平方向に延び、ゴム等の可撓性及び弾性を持つ材料により形成されている。この遮蔽部材１０３は、下端部１０３Ａを敷居部１０２の上面に接触させ、ドア１０１の開閉に伴って下端部１０３Ａを敷居部１０２上で摺動させる。このドア装置１００によれば、ドア１０１と敷居部１０２との間に気密性が得られるため、ドア１０１と敷居部１０２との間からの煙の侵入を防ぐことができる、即ち、遮煙効果が得られる。
【先行技術文献】
【特許文献】
【０００３】
【特許文献１】特開２００４−３２３２２２号公報
【発明の概要】
【発明が解決しようとする課題】
【０００４】
近年、かごが昇降路内を高速で昇降する超高層ビル等のエレベータにおいては、かごの気密性を高めてかご内の気圧を調整し、これにより、昇降時のかご内の急激な気圧変化を防いでいる。このため、気密性の高いドア装置が求められており、前記超高層ビル等のエレベータにおいて、上述のドア装置１００をかごに用いることが考えられる。
【０００５】
しかし、ドア装置１００では、遮蔽部材１０３が可撓性を有し且つドア１０１の開閉時に敷居部１０２に対して摺動できなければならないため、遮蔽部材１０３の下端部１０３Ａが敷居部１０２に対して強固に押し付けられていない。このため、かご内の気圧調整等によってかごの内部と外部との間に生じた気圧差によって遮蔽部材１０３に大きな力が加わることで、遮蔽部材１０３と敷居部１０２との間の気密性が保てない場合がある。
【０００６】
そこで、本発明は、かごドアと敷居部材との間において十分な気密性を確保できるエレベータのドア装置を提供することを課題とする。
【課題を解決するための手段】
【０００７】
本発明のエレベータのドア装置は、
かごの出入口を開閉するかごドアと、
前記出入口の下端において水平方向に延び、且つ前記かごドアを開閉方向に案内する敷居部材と、
前記かごドアの下方において、前記かごドアと前記敷居部材との間を塞ぐ閉塞位置と前記敷居部材の上端位置以下の位置である退避位置との間で上下動可能な閉塞部材と、を備え、
前記かごドアは、前記閉塞部材と接触した状態で該かごドアが戸閉方向に移動することで該閉塞部材を前記閉塞位置に向けて引き上げる引き上げ部を下端部に有し、
前記引き上げ部は、前記かごドアが全開位置から戸閉方向に向けて移動することで前記退避位置にある前記閉塞部材と接触し、且つ、前記かごドアが全閉位置まで移動することで前記閉塞部材を前記閉塞位置まで引き上げる位置に配置され、
前記閉塞部材は、前記かごドアと前記敷居部材との間を塞ぐことができる上下方向の寸法を有し、前記引き上げ部によって前記全閉位置に引き上げられることでその上端を前記かごドアの下端部に密接させる。
【０００８】
かかる構成によれば、かごドアの駆動力を利用して閉塞部材を閉塞位置まで引き上げてかごドアの下端部に押し付けることができるため、かごドアと閉塞部材との密接状態が強固に維持され、これにより、かごドアと敷居部材との間に十分な気密性を確保することができる。即ち、かごドアが駆動されて全開位置から全閉位置まで移動し、この位置（全閉位置）に維持されることで、閉塞部材が引き上げ部によって退避位置から閉塞位置まで引き上げられ、かごドアの下端部に十分な力で押し付けられた密接状態が維持される。これにより、かごドアと敷居部材との間において十分な気密性が確保される。
【０００９】
前記エレベータのドア装置では、
前記かごドアは、一対配置され、これら一対のかごドアは、水平方向に互いに離間及び接近することで前記出入口を開閉し、
前記一対のかごドアのそれぞれに設けられた前記引き上げ部同士の前記開閉方向の間隔は、下方に向かうにつれて狭くなっていることが好ましい。
【００１０】
かかる構成によれば、一対のかごドアが戸閉する（互いに接近する）ことで、閉塞部材が各かごドアの引き上げ部によって開閉方向の両外側から挟み込まれて上方に引き上げられるため、閉塞部材が開閉方向に長尺な部材であっても、閉塞部材が一対のかごドアの下端部に対して開閉方向の各位置において十分な力で押し付けられて密接する。その結果、一対のかごドアと敷居部材との間において十分な気密性が確保される。
【００１１】
また、前記エレベータのドア装置は、
前記閉塞部材が前記退避位置から前記閉塞位置に引き上げられるのに伴う弾性変形によって付勢力が生じ又は付勢力が増大し、該閉塞部材が前記閉塞位置のときに該閉塞部材を退避位置に向けて付勢する付勢部材を備えてもよい。
【００１２】
かかる構成によれば、戸閉時のかごドアの駆動力を利用して付勢部材に十分な付勢力を生じさせ、戸開時に、他の動力等を用いなくても、該付勢部材によって閉塞部材を閉塞位置から退避位置まで確実に移動させることができる。即ち、かごドアが全閉位置から戸開方向に移動するだけで（詳しくは、引き上げ部が閉塞部材から離間することで）、戸閉時に閉塞部材が引き上げ部によって閉塞位置まで引き上げられることで付勢部材に生じた又は増大した付勢力によって、閉塞位置にある閉塞部材を退避位置まで確実に移動させることができる。
【００１３】
また、前記エレベータのドア装置では、
前記かごドアは、前記引き上げ部より戸開方向側の位置において下方に延び、且つ前記閉塞部材と接触した状態で該かごドアが戸開方向に移動することで該閉塞部材を前記退避位置に向けて押し下げる押し下げ部を前記下端部に有し、
前記閉塞部材は、
前記開閉方向に延びる本体と、
前記本体の上端部から前記かごドア側に延び、且つ前記開閉方向において前記引き上げ部と対向する端部が該引き上げ部と接触した状態で前記かごドアが戸閉方向に移動することで引き上げられる被引き上げ部と、
前記本体の上端部において前記被引き上げ部に対して戸開方向側に間隔をあけた位置から前記かごドア側に延び、且つ前記被引き上げ部より低い被押し下げ部と、を有し、
前記被押し下げ部の戸閉側の端部は、戸開方向に向かうにつれて上方に位置する形状を有してもよい。
【００１４】
かかる構成によれば、戸開時のかごドアの駆動力を利用して押し下げ部によって被押し下げ部を押し下げることができるため、戸開時に、他の動力等を用いなくても、閉塞部材を閉塞位置から退避位置に押し下げることができる。
【００１５】
また、前記エレベータのドア装置では、
前記被引き上げ部の前記端部は、前記閉塞部材が前記閉塞位置のときに前記引き上げ部と密接する形状を有してもよい。
【００１６】
かかる構成によれば、閉塞部材が閉塞位置のときにかごドアの引き上げ部と閉塞部材の被引き上げ部との間も密接した状態となるため、かごドアと敷居部材との間の気密性がより高くなる。
【発明の効果】
【００１７】
以上より、本発明によれば、かごドアと敷居部材との間において十分な気密性を確保できるエレベータのドア装置を提供することができる。
【図面の簡単な説明】
【００１８】
【図１】図１は、本実施形態のドア装置を備えるエレベータの構成を示す図である。
【図２】図２は、かご内における出入口の周辺を示す図である。
【図３】図３は、全閉状態のエレベータのドア装置の下部を示す図である。
【図４】図４は、図３におけるＩＶ−ＩＶ位置の断面図である。
【図５】図５は、敷居部材の平面図である。
【図６】図６は、図５におけるＶＩ−ＶＩ位置の断面図である。
【図７】図７は、図５におけるＶＩＩ−ＶＩＩ位置の断面図である。
【図８】図８は、図５におけるＶＩＩＩ−ＶＩＩＩ位置の断面図である。
【図９】図９は、かごドアの正面図である。
【図１０】図１０は、図３におけるＸ−Ｘ位置の断面図である。
【図１１】図１１は、かごドアが全閉位置のときの当接部及びその周辺を示す図である。
【図１２】図１２は、当接部が被押し下げ部上を通過するときの当接部及びその周辺を示す図である。
【図１３】図１３は、縦枠と全閉位置のかごドアの戸開側端部とを示す断面図である。
【図１４】図１４は、縦枠と全閉位置より戸開側に位置するかごドアとを示す断面図である。
【図１５】図１５は、かごドアと上枠との気密構造を説明するための図である。
【図１６】図１６は、かごドアと上枠との気密構造を説明するための断面図である。
【図１７】図１７は、下部気密部材の正面図である。
【図１８】図１８は、図１７におけるＸＶＩＩＩ−ＸＶＩＩＩ位置の断面図である。
【図１９】図１９は、かごドアが全閉位置のときのドア装置の模式図である。
【図２０】図２０は、かごドアが全閉位置と全開位置との間の途中位置のときのエレベータのドア装置の模式図である。
【図２１】図２１は、かごドアが全開位置のときのエレベータのドア装置の模式図である。
【図２２】図２２は、従来のエレベータのドア装置の下部の断面図である。
【発明を実施するための形態】
【００１９】
以下、本発明の一実施形態について、図１〜図２１を参照しつつ説明する。
【００２０】
本実施形態に係るエレベータのドア装置（以下、単に「ドア装置」とも称する。）は、昇降路内を昇降するかごに設けられる。このドア装置は、図１及び図２に示すように、昇降客が乗降するかご本体１１に設置され、かご１０が乗り場９に停止した状態（着床状態）で、乗り場９の出入口９０を開閉する乗り場ドア９１を連動させてかご本体１１の出入口１２を開閉する。本実施形態のかご１０では、かご本体１１の出入口１２の周縁部（敷居部材３及び枠部５）とかごドア２との間の気密性が高い。
【００２１】
ドア装置１は、かご１０（かご本体１１）の出入口１２を開閉する一対のかごドア２と、出入口１２の下端において水平方向に延び、且つかごドア２を開閉方向（図２における左右方向）に案内する敷居部材３と、かごドア２の下方で上下動可能に配置される下部気密部材（閉塞部材）４と、を備える。この下部気密部材４は、かごドア２の下方において、かごドア２と敷居部材３との間を塞ぐ閉塞位置（図１１及び図１９参照）と敷居部材３の上端位置以下の位置である退避位置（図１２及び図２１参照）との間で上下動可能である。
【００２２】
また、ドア装置１は、敷居部材３と共に出入口１２を画定する枠部５と、かごドア２を開閉させる開閉機構６と、を備える。本実施形態のドア装置１は、下部気密部材４を付勢する付勢部材７も備える（図４参照）。本実施形態のドア装置１は、一対のかごドア２が水平方向に離間及び接近することで開閉を行う、いわゆる両開きタイプである。
【００２３】
敷居部材３は、図３〜図８にも示すように、開閉方向に延びる長尺な部材である。この敷居部材３は、かごドア２を案内するための案内溝３１と、下部気密部材４が内側を上下動するスリット部３２と、を有する。本実施形態の敷居部材３では、乗り場９側に案内溝３１が配置され、かご本体１１の室内側にスリット部３２が配置されている。
【００２４】
案内溝３１は、敷居部材３の上端（上面）から下方に向けて凹み且つ開閉方向に延びる。この案内溝３１では、開閉方向の各位置の幅（図５における上下方向の寸法）及び深さが一定である。
【００２５】
スリット部３２は、上下方向に貫通し且つ開閉方向に延びる貫通部３２１と、貫通部３２１の両端のそれぞれから該貫通部３２１と同じ方向（開閉方向）に延びる溝部３２２と、を有する。このスリット部３２では、開閉方向の各位置の幅（図５における上下方向の寸法）が一定である。このスリット部３２の幅は、内側を上下動する下部気密部材４の寸法に対応する。貫通部３２１の開閉方向の寸法は、全閉位置の一対のかごドア２（図１９参照）の開閉方向の寸法より大きい（長い）。また、溝部３２２は、敷居部材３の上端から下方に向けて凹む溝であり、貫通部３２１の端部から全開位置のかごドア２の戸開側の端部と対応する位置まで延びている。この溝部３２２の深さは、開閉方向の各位置において同じである。このように貫通部３２１と溝部３２２とを有するスリット部３２は、案内溝３１と平行に設けられている。
【００２６】
枠部５は、出入口１２の側端と上端とを画定する。この枠部５は、開閉方向に間隔をあけてそれぞれが上下方向に延びる一対の縦枠５１と、開閉方向に延び且つ一対の縦枠５１の上端同士を接続する上枠５２と、を有する。
【００２７】
一対の縦枠５１のそれぞれは、戸開側の端部に、戸開方向に突出し且つ上下方向に延びる密閉片５１１を有する（図１３及び図１４参照）。
【００２８】
上枠５２は、乗り場９側の端部に、乗り場９側に突出し且つ略開閉方向に延びる密閉片５２１を有する（図１５及び図１６参照）。この密閉片５２１は、開閉方向の中央から端部に向かって向かうにつれて下がっている。即ち、密閉片５２１は、開閉方向の中央から端部に向けて下り勾配で延びている。
【００２９】
図１に戻り、開閉機構６は、かご本体１１の出入口１２の上方で水平方向に延びるドアレール６１と、かごドア２を吊り下げた状態でドアレール６１に沿って移動可能なドアハンガ６２と、ドアハンガ６２を駆動してかごドア２を開閉する駆動部６３と、を有する。一つのドアハンガ６２は、一つのかごドア２を吊り下げる。即ち、本実施形態の開閉機構６は、一対のドアハンガ６２を有する。
【００３０】
一対のかごドア２のそれぞれは、図９、図１１、及び図１２に示すように、戸閉方向に向かうにつれて下方に位置する形状を有し且つ下部気密部材４と接触した状態でかごドア２が戸閉方向（図１１及び図１２における右方）に移動することで下部気密部材４を閉塞位置まで引き上げる摺接面（引き上げ部）２１３を下端部に有する。具体的に、一対のかごドア２のそれぞれは、パネル状のドア本体２０と、ドア本体２０の下端から下方に突出する当接部２１と、を有する。また、一対のかごドア２のそれぞれは、ドア本体２０の下端部に配置されるシール部材２２と、敷居部材３の案内溝３１に嵌り込んだ状態で、該案内溝３１内で摺動するドアシュー２３と、を有する。尚、図９〜図１２では、一対のかごドア２のうちの一方のかごドア２を示している。
【００３１】
ドア本体２０は、開閉方向及び上下方向に広がる矩形のパネル状である。ドア本体２０は、上端がドアハンガ６２に接続され、該ドアハンガ６２に吊り下げられている。このドア本体２０は、下端に、該下端から上方に向かって凹み且つ開閉方向に延びる凹部２０１を有する（図４参照）。かご１０の出入方向（水平面において開閉方向と直交する方向：図４における左右方向）における、この凹部２０１の寸法は、敷居部材３のスリット部３２の幅より大きい。
【００３２】
当接部２１は、戸閉時に下部気密部材４と摺接する摺接部材２１１と、摺接部材２１１をドア本体２０に固定する固定部材（押し下げ部）２１２と、を有する。当接部２１は、上下方向において、ドア本体２０の下端部からスリット部３２内まで延び且つ溝部３２２の底との間に僅かな間隔が形成される長さ寸法を有する。
【００３３】
固定部材２１２は、ドア本体２０の下部（詳しくは、戸開側の側面）に固定され、スリット部３２内まで延びている。固定部材２１２における下端と戸開側の側端との境界部位２１２Ａは、出入方向からみて円弧状となる湾曲面である（図１１及び図１２参照）。
【００３４】
摺接部材２１１は、スリット部３２内に少なくとも下部が嵌り込んだ状態で固定部材２１２の戸閉側に配置される。摺接部材２１１は、戸閉時に下部気密部材４が当接する摺接面２１３を戸閉側に有する。本実施形態の摺接部材２１１は、下端面２１１Ａが水平で且つ出入方向からみて三角状の部材であり、摺接面２１３は、戸閉方向に向かうにつれて下っている傾斜面である。この摺接部材２１１の下端面（水平面）２１１Ａは、当接部２１の下端面も兼ねている。この摺接面２１３は、かごドア２が全開位置から戸閉方向に向けて移動することで退避位置にある下部気密部材４と接触し、且つ、かごドア２が全閉位置まで移動することで下部気密部材４を退避位置から閉塞位置まで引き上げる位置に配置されている（図９、図１１及び図１２参照）。
【００３５】
シール部材２２は、ドア本体２０の凹部２０１内に配置される。このシール部材２２は、図４に示すように、凹部２０１の内面に沿った形状を有する。具体的に、シール部材２２は、開閉方向に長尺な帯状部２２１と、帯状部２２１の幅方向（短尺方向）の両端部から下方に延びる一対の側壁部２２２と、を有する。
【００３６】
ドアシュー２３は、図３、図４及び図１０に示すように、ドア本体２０の下端に取り付けられ、案内溝３１に嵌り込む。このドアシュー２３は、かごドア２の開閉時に案内溝３１内を開閉方向に摺動することで、ドア本体２０の下端を開閉方向に案内する。即ち、ドアシュー２３は、ドアハンガ６２に吊り下げられた状態のドア本体２０の下端が出入方向に揺動するのを防ぐ。
【００３７】
また、本実施形態のかごドア２は、図１３〜図１６に示すように、ドア本体２０と縦枠５１との間を密閉可能な側部気密部２４と、ドア本体２０と上枠５２との間を密閉可能な上部気密部２５と、を有する。
【００３８】
側部気密部２４は、ドア本体２０の側端部における縦枠５１側を向いた面から突出する。この側部気密部２４は、戸閉方向の端部から戸開方向に向けて凹み且つ上下方向に延びる凹部２４１と、凹部２４１の側壁における開口側の端部から凹部２４１の幅方向の中心側に向けて延びると共に上下方向に延びる一対の弾性片２４２と、を有する。
【００３９】
この側部気密部２４では、かごドア２が全閉位置のときに、縦枠５１の密閉片５１１が一対の弾性片２４２間に差し込まれた状態となり（図１３参照）、かごドア２の側部と縦枠５１との間の気密性が確保される。また、かごドア２が全閉位置から戸開方向に移動することで、密閉片５１１が弾性片２４２間から引き抜かれた状態となる（図１４参照）。
【００４０】
上部気密部２５は、ドア本体２０の上端部における上枠５２側を向いた面から突出する。この上部気密部２５は、上枠５２側に突出し且つ略開閉方向に延びる上片部２５１と、上片部２５１の下面に設けられるシール部材２５２と、を有する。上片部２５１は、かごドア２が全閉位置のときに、上枠５２の密閉片５２１の上側で該密閉片５２１と平行となる位置に配置されている。シール部材２５２は、上片部２５１に沿って略開閉方向に延び、かごドア２が全閉位置のときに、上片部２５１と上枠５２の密閉片５２１との間を密閉する（図１５及び図１６参照）。また、シール部材２５２は、かごドア２が全閉位置から戸開方向に移動することで、上枠５２の密閉片５２１から離間する。
【００４１】
下部気密部材４は、図３に示すように、かごドア２と敷居部材３との間を塞ぐことができる上下方向の寸法を有し、当接部２１（詳しくは、摺接部材２１１）によって閉塞位置に引き上げられることで、その上端をかごドア２の下端部に密接させる。本実施形態の下部気密部材４は、ドア本体２０の凹部２０１内に配置されたシール部材２２（詳しくは、帯状部２２１）に押し付けられることで、その上端を該シール部材２２に密接させる（図４参照）。具体的に、下部気密部材４は、図１７及び図１８にも示されるように、開閉方向に延びる（長尺な）本体４１と、かごドア２の戸閉動作によって引き上げられる被引き上げ部４２と、かごドア２の戸開動作によって押し下げられる被押し下げ部４３と、を有する。本実施形態の下部気密部材４は、付勢部材７が配置される軸部４４も有する。
【００４２】
本体４１は、上下方向及び開閉方向に広がり且つ開閉方向に長尺な帯板状の起立部４１１と、起立部４１１から水平方向に広がる鍔部４１２と、起立部４１１を囲った状態で鍔部４１２の上面に配置されるシール部材４１３と、を有する。
【００４３】
起立部４１１は、敷居部材３の貫通部３２１内を上下動する。この起立部４１１の厚さ（出入方向の寸法）は、貫通部３２１（スリット部３２）の幅より僅かに小さく、起立部４１１の開閉方向の寸法は、貫通部３２１の同方向の寸法より僅かに小さい。
【００４４】
鍔部４１２は、起立部４１１の下端部から水平方向に広がり、起立部４１１が上方に移動したとき（即ち、下部気密部材４が閉塞位置に移動したとき）に、シール部材４１３を敷居部材３の下面側における貫通部３２１の周縁部に押し付ける。本実施形態の鍔部４１２は、シール部材４１３を、敷居部材３をかご本体１１に固定するための部材３５を介して、敷居部材３の下面側における貫通部３２１の周縁部に押し付ける。
【００４５】
シール部材４１３は、鍔部４１２によって敷居部材３の貫通部３２１の周縁部に押し付けられることで、下部気密部材４（本体４１）と敷居部材３（スリット部３２）との間を密閉する。
【００４６】
被引き上げ部４２は、本体４１（詳しくは、起立部４１１）の上端部から上方（即ち、かごドア２側）に延び、且つ開閉方向において摺接部材２１１（詳しくは、摺接面２１３）と対向する端部（端面）４２１が該摺接部材２１１と接触した状態でかごドア２が戸閉方向に移動することで引き上げられる部位である。本実施形態の被引き上げ部４２では、上端が、出入方向から見て、開閉方向に平らで且つ下端から上端に向かうにつれて開閉方向の寸法が大きくなっている。即ち、被引き上げ部４２は、出入方向から見て、逆台形状である。この被引き上げ部４２の上端部では、断面（出入方向及び上下方向を含む面に沿った断面）が上端に向けて幅の小さくなるテーパ形状である（図１８参照）。
【００４７】
また、本実施形態の被引き上げ部４２の開閉方向の端部（側端面）４２１は、戸閉方向に向かうにつれて下がっている傾斜面である。この端部４２１は、かごドア２が全閉位置となって下部気密部材４が閉塞位置まで引き上げられたときに、摺接部材２１１の摺接面２１３と密接する形状である。この被引き上げ部４２は、下部気密部材４が退避位置の状態でかごドア２が全閉位置に向けて移動したときに、当接部２１の下部（詳しくは、該下部における戸閉側の端部）が該被引き上げ部４２の端部４２１の上部と当接する高さである（図１２及び図２０参照）。
【００４８】
被押し下げ部４３は、本体４１（詳しくは、起立部４１１）の上端部において被引き上げ部４２に対して戸開方向側に間隔をあけた位置から上方（かごドア２側）に延びている。この被押し下げ部４３の戸閉側の端部（側端面）４３１は、戸開方向に向かうにつれて上方に位置する形状を有している。例えば具体的に、被押し下げ部４３の端部４３１は、戸開方向に向かうにつれて上がっている傾斜面である。本実施形態の被押し下げ部４３は、開閉方向における被引き上げ部４２の両側に設けられている。即ち、下部気密部材４は、一対の被押し下げ部４３を有している。
【００４９】
この被押し下げ部４３の被引き上げ部４２との間隔は、かごドア２が全閉位置のときに、被引き上げ部４２との間に当接部２１が位置できるように設定されている（図１１及び図１９参照）。また、被押し下げ部４３は、被引き上げ部４２より低い。具体的に、被押し下げ部４３は、下部気密部材４が退避位置の状態でかごドア２が開閉方向に移動したときに当接部２１が該被押し下げ部４３の上方を通過できる高さである（図１２及び図２０参照）。
【００５０】
軸部４４は、本体４１の下端部から下方に向けて延びる。本実施形態の軸部４４は、開閉方向に間隔をあけて二つ配置されている。これら二つの軸部４４は、本体４１の開閉方向の中心からの距離が等しくなるように配置されている。
【００５１】
以上のように構成される下部気密部材４は、退避位置のときに、被引き上げ部４２の上端が敷居部材３の上端（上面）と同じ位置、若しくは僅かに低い位置となり、閉塞位置のときに、被引き上げ部４２の上端がドア本体２０の下部と密接する位置（詳しくは、凹部２０１内のシール部材２２の帯状部２２１に密接する位置：図４参照）となるように、上下動可能に配置されている。
【００５２】
付勢部材７は、下部気密部材４が退避位置から閉塞位置に引き上げられるのに伴う弾性変形によって付勢力が生じ又は付勢力が増大し、下部気密部材４が閉塞位置のときに該下部気密部材４を退避位置に向けて付勢する。本実施形態の付勢部材７は、いわゆるコイルバネである。この付勢部材７は、軸部４４が螺旋中心を通るように配置されている（図４参照）。そして、付勢部材７の下端が軸部４４に固定され、上端が、敷居部材３が固定されている部材３５から延び且つ軸部４４が貫通するブラケット３５１に固定されている。このブラケット３５１と敷居部材３との間隔は、一定である。
【００５３】
付勢部材７の上端と下端との間隔（即ち、軸部４４における付勢部材７の下端が固定されている部位と、ブラケット３５１との上下方向の間隔）は、下部気密部材４が退避位置のときに、付勢部材７の自然長以下である。そして、下部気密部材４が閉塞位置に向けて移動する（引き上げられる）ことで、付勢部材７が上下方向に圧縮され、これにより、下部気密部材４を敷居部材３に対して引き下げる方向の付勢力が生じ又は前記付勢力が増大する。
【００５４】
以上のように構成されるドア装置１は、以下のように動作する。
【００５５】
図１９にも示すように、かごドア２が全閉状態では、被引き上げ部４２が一対の当接部２１（摺接部材２１１の摺接面２１３）によって挟み込まれているため、下部気密部材４は、閉塞位置にある。このとき、下部気密部材４（被引き上げ部４２）の上端がドア本体２０の下部に密接しているため、かごドア２と敷居部材３との間の気密性は確保されている。また、かごドア２が全閉位置のときは、付勢部材（コイルバネ）７が十分に圧縮された状態であるため、下部気密部材４は、下方に向けて付勢された状態であるが、被引き上げ部４２が一対の当接部２１に挟み込まれているため、下方（退避位置側）に移動できない。
【００５６】
この状態で、かご１０が乗り場９に停止（着床）等することによって、一対のかごドア２が全閉位置から戸開する。このとき、一対の当接部２１（詳しくは、摺接部材２１１の摺接面２１３）がかごドア２と共に開閉方向に互いに離間し、これら一対の当接部２１によって開閉方向の外側から挟み込まれていた被引き上げ部４２が開放される（図２０参照）。この開放に伴って、付勢部材７によって下方に向けて付勢されていた下部気密部材４は、下方に（退避位置に向けて）引き下げられる。
【００５７】
このとき、付勢部材７の損傷等によって下部気密部材４が退避位置に引き下げられない場合には、かごドア２の戸開方向への移動によって、当接部２１（固定部材２１２の境界部位２１２Ａ）が被押し下げ部４３に当接することで該被押し下げ部４３を押し下げる。これにより、下部気密部材４は、かごドア２が全閉位置から戸開することで、退避位置まで確実に押し下げられる。
【００５８】
本実施形態のドア装置１では、一対の当接部２１のそれぞれがドア本体２０の戸開側の端部に配置されているため、下部気密部材４は、戸開によって一対の当接部２１の下端の間隔が被引き上げ部４２の上端の長さ寸法より大きくなった時点で（即ち、かごドア２が全閉位置から戸開方向に移動し始めて直ぐに）、退避位置まで引き下げられる。また、下部気密部材４が当接部２１によって押し下げられる場合でも、かごドア２が全閉位置から戸開方向に移動し始めて直ぐに当接部２１が被押し下げ部４３に当接し、退避位置まで押し下げられる。これらにより、かごドア２が開ききる前に乗降客がかご１０に出入りしても、下部気密部材４が邪魔にならない。
【００５９】
一方、一対のかごドア２が全開位置（図２１参照）から戸閉するときには、一対の当接部２１（詳しくは、摺接部材２１１の摺接面２１３）がかごドア２と共に開閉方向に互いに接近することで、これら一対の当接部２１によって被引き上げ部４２が開閉方向の外側から挟み込まれる。ことのき、被押し下げ部４３よりも被引き上げ部４２の方が高いため、一対の当接部２１は、対応する被押し下げ部４３の上方を通過して被引き上げ部４２を挟み込む位置まで移動できる（図１２及び図２０参照）。そして、一対の当接部２１による被引き上げ部４２の挟み込みに伴って、下部気密部材４は、付勢部材７の付勢力に逆らって、退避位置から閉塞位置まで引き上げられる。これにより、かごドア２と敷居部材３との気密性が確保される。尚、下部気密部材４が閉塞位置まで引き上げられることで、付勢部材７は、十分に圧縮されるため、次の戸開時に、下部気密部材４を退避位置に向けて十分な付勢力で付勢できる。
【００６０】
本実施形態のドア装置１では、一対の当接部２１のそれぞれがドア本体２０の戸開側の端部に配置されているため、戸閉によって一対の当接部２１の下端の間隔が、被引き上げ部４２の上端の長さ寸法まで狭くなった時点で（即ち、全閉位置の直前に：図２０参照）、閉塞位置に引き上げられ始める。これにより、かごドア２が戸閉し始めて直ぐに乗降客がかご１０に出入りしても、下部気密部材４が邪魔にならない。
【００６１】
以上のドア装置１によれば、かごドア２の駆動力を利用して下部気密部材４を閉塞位置まで引き上げてかごドア２の下端部に押し付けることができる。このため、かごドア２と下部気密部材４との密接状態が強固に維持され、これにより、かごドア２と敷居部材３との間に十分な気密性を確保することができる。即ち、かごドア２が駆動されて全開位置から全閉位置まで移動し、この位置（全閉位置）に維持されることで、下部気密部材４が摺接部材２１１によって退避位置から閉塞位置まで引き上げられ、かごドア２の下端部に十分な力で押し付けられた密接状態が維持される。これにより、かごドア２と敷居部材３との間において十分な気密性が確保される。
【００６２】
本実施形態のドア装置１では、かごドア２が、一対配置され、一対のかごドア２のそれぞれに設けられた摺接部材２１１の摺接面２１３同士の開閉方向の間隔が、下方に向かうにつれて狭くなっている。このため、一対のかごドア２が戸閉する（互いに接近する）ことで、下部気密部材４が各かごドア２の摺接部材２１１によって開閉方向の両外側から挟み込まれて上方に引き上げられる。これにより、下部気密部材４が開閉方向に長尺な部材であっても、一対のかごドア２の下端部に対して開閉方向の各位置において十分な力で押し付けられて密接する。その結果、一対のかごドア２と敷居部材３との間において十分な気密性が確保される。
【００６３】
また、本実施形態のドア装置１の付勢部材７は、下部気密部材４が退避位置から閉塞位置に引き上げられるのに伴う弾性変形によって付勢力が生じ又は付勢力が増大することで、下部気密部材４が閉塞位置のときに該下部気密部材４を退避位置に向けて付勢する。このため、戸閉時のかごドア２の駆動力を利用して付勢部材７に十分な付勢力を生じさせ、戸開時に、他の動力等を用いなくても、下部気密部材４を閉塞位置から退避位置まで確実に移動させることができる。即ち、かごドア２が全閉位置から戸開方向に移動するだけで（詳しくは、摺接部材２１１が下部気密部材４から離間することで）、戸閉時に下部気密部材４が摺接部材２１１によって閉塞位置まで引き上げられることで付勢部材７に生じた又は増大した付勢力によって、閉塞位置にある下部気密部材４を退避位置まで確実に移動させることができる。
【００６４】
本実施形態の下部気密部材４では、被押し下げ部４３が本体４１の上端部において被引き上げ部４２に対して戸開方向側に間隔をあけた位置に設けられ、戸閉側の端部４３１が、戸開方向に向かうにつれて上方に位置する形状を有している。このため、戸開時のかごドア２の駆動力を利用して当接部２１（詳しくは、固定部材２１２の境界部位２１２Ａ）によって、被押し下げ部４３を押し下げることができる。これにより、戸開時に、他の動力等を用いなくても、下部気密部材４を閉塞位置から退避位置に確実に押し下げることができる。即ち、付勢部材７の損傷等によって付勢力による押し下げができなくても、かごドア２が戸開することで、下部気密部材４を退避位置に向けて押し下げることができる。
【００６５】
また、本実施形態のドア装置１では、被引き上げ部４２の端部４２１は、下部気密部材４が閉塞位置のときに摺接部材２１１（詳しくは、摺接面２１３）と密接する形状を有している。このため、下部気密部材４が閉塞位置のときにかごドア２の当接部２１と下部気密部材４との間も密接した状態となり、これにより、かごドア２と敷居部材３との間の気密性がより高くなる。
【００６６】
尚、本発明のエレベータのドア装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６７】
上記実施形態のドア装置１は、一対のかごドア２が水平方向に互いに離間及び接近することで開閉する、いわゆる両開きのドア装置であるが、この構成に限定されない。ドア装置１は、いわゆる片開きのドア装置であってもよい。かごドア２の開閉方向の寸法が小さければ、当接部２１が開閉方向の一方の端部にしか設けられていなくても、下部気密部材４を閉塞位置まで引き上げてかごドア２の下部に十分な力で押し付けることができる。
【００６８】
上記実施形態のドア装置１では、下部気密部材４を閉塞位置から退避位置に向けて付勢する付勢部材７が配置されているが、この構成に限定されない。即ち、付勢部材７がない構成でもよい。この場合でも、下部気密部材４が被押し下げ部４３を有することで、戸開時に、閉塞位置から退避位置まで押し下げられる。また、例えば、被引き上げ部４２が当接部２１による挟み込みから開放されたときに、下部気密部材４が自重によって退避位置に移動する構成でもよい。
【００６９】
上記実施形態のドア装置１では、当接部２１（摺接部材２１１）がドア本体２０の戸開側の端部に配置されているが、この構成に限定されない。当接部２１は、ドア本体２０の戸開側の端部から戸閉側にずれた位置に配置されてもよい。この構成によっても、少なくとも当接部２１より戸閉側の位置において、かごドア２と敷居部材３との間の気密性を確保することができる。
【００７０】
上記実施形態の下部気密部材４には、被押し下げ部４３が設けられているが、この構成に限定されない。下部気密部材４は、被押し下げ部４３のない構成でもよい。かかる構成であっても、付勢部材７が配置されることで、下部気密部材４は、かごドア２が戸開したときに、退避位置まで確実に押し下げられる。
【００７１】
上記実施形態の下部気密部材４の被引き上げ部４２と被押し下げ部４３とは、当接部２１によって引き上げられるとき又は押し下げられるときに該当接部２１と摺接するが、この構成に限定されない。被引き上げ部４２の端部４２１及び被押し下げ部４３の戸閉側の端部４３１の少なくとも一方にローラが配置されてもよい。かかる構成によれば、当接部２１が被引き上げ部４２を引き上げるとき、又は被押し下げ部４３を押し下げるときの抵抗を抑えることができる。
【００７２】
上記実施形態のドア装置１では、一つの部位（当接部２１）の開閉方向の両端に、被引き上げ部４２と摺接する摺接面２１３と、被押し下げ部４３と摺接する境界部位２１２Ａとが配置されているが、この構成に限定されない。摺接面２１３が配置される部位と、境界部位２１２Ａが配置される部位と、の間に間隔があいていてもよい。
【符号の説明】
【００７３】
１…ドア装置、２…かごドア、２０…ドア本体、２０１…凹部、２０１Ａ…内面、２１…当接部、２１１…摺接部材、２１１Ａ…下端面、２１２…固定部材、２１２Ａ…境界部位、２１３…摺接面、２２…シール部材、２２１…帯状部、２２２…側壁部、２３…ドアシュー、２４…側部気密部、２４１…凹部、２４２…弾性片、２５…上部気密部、２５１…上片部、２５２…シール部材、３…敷居部材、３１…案内溝、３２…スリット部、３２１…貫通部、３２２…溝部、３５…敷居部材が固定されている部材、３５１…ブラケット、４…下部気密部材（閉塞部材）、４１…本体、４１１…起立部、４１２…鍔部、４１３…シール部材、４２…被引き上げ部、４２１…端部、４３…被押し下げ部、４３１…端部、４４…軸部、５…枠部、５１…縦枠、５１１…密閉片、５２…上枠、５２１…密閉片、６…開閉機構、６１…ドアレール、６２…ドアハンガ、６３…駆動部、７…付勢部材、９…乗り場、９０…乗り場の出入口、９１…乗り場ドア、１０…かご、１１…かご本体、１２…かご本体の出入口
【図１】
2019018998.tif 000003
【図２】
2019018998.tif 000004
【図３】
2019018998.tif 000005
【図４】
2019018998.tif 000006
【図５】
2019018998.tif 000007
【図６】
2019018998.tif 000008
【図７】
2019018998.tif 000009
【図８】
2019018998.tif 000010
【図９】
2019018998.tif 000011
【図１０】
2019018998.tif 000012
【図１１】
2019018998.tif 000013
【図１２】
2019018998.tif 000014
【図１３】
2019018998.tif 000015
【図１４】
2019018998.tif 000016
【図１５】
2019018998.tif 000017
【図１６】
2019018998.tif 000018
【図１７】
2019018998.tif 000019
【図１８】
2019018998.tif 000020
【図１９】
2019018998.tif 000021
【図２０】
2019018998.tif 000022
【図２１】
2019018998.tif 000023
【図２２】
2019018998.tif 000024